(57)【要約】【課題】プレートと保持部材との組み付け性を向上することができる電子部品ユニットを提供することを目的とする。【解決手段】電子部品ユニット１は、樹脂材２３の内部に金属製のバスバー２４が内蔵され電子部品２２が実装されたプレート２と、プレート２が組み付けられる保持部材３とを備え、プレート２は、端面にバスバー２４の一部が露出した複数の露出端部２４ｄを有し、保持部材３は、プレート２の端面と対向する対向面３５に形成され、プレート２の端面と対向し、かつ、複数の露出端部２４ｄの並び方向に対して、隣接する当該露出端部２４ｄの間に位置し、対向面３５からプレート２の端面側に向けて突出する突出部３４を有することを特徴とする。【選択図】図８
2015216829.tif 000002
【特許請求の範囲】
【請求項１】
樹脂材の内部に金属製のバスバーが内蔵され電子部品が実装されたプレートと、
前記プレートが組み付けられる保持部材とを備え、
前記プレートは、端面に前記バスバーの一部が露出した複数の露出端部を有し、
前記保持部材は、前記プレートの前記端面と対向する対向面に形成され、前記プレートの前記端面と対向し、かつ、前記複数の露出端部の並び方向に対して、隣接する当該露出端部の間に位置し、前記対向面から前記プレートの前記端面側に向けて突出する突出部を有することを特徴とする、
電子部品ユニット。
【請求項２】
前記突出部は、前記対向面に形成され、前記プレートが前記保持部材に組み付けられた状態で、前記プレートの前記端面と対向し、かつ、前記複数の露出端部の並び方向に対して、隣接する当該露出端部の間に位置し、前記対向面から前記プレートの前記端面側に向けて突出する突出リブを含んで構成される、
請求項１に記載の電子部品ユニット。
【請求項３】
前記突出部は、前記プレートが前記保持部材に組み付けられた状態で、前記プレートの前記端面と対向し、かつ、前記複数の露出端部の並び方向に対して、隣接する当該露出端部の間に位置し、前記対向面を含む壁体が前記プレートの前記端面側に向けて窪むことで形成される凸状壁部を含んで構成される、
請求項１又は請求項２に記載の電子部品ユニット。
【請求項４】
前記保持部材は、前記プレートが組み付けられるベース部と、前記ベース部に組み付けられた前記プレートを前記ベース部とは反対側から覆う蓋部とを有し、前記ベース部と前記蓋部とによって区画された内部に前記プレートが組み付けられ、
前記突出部は、前記ベース部と前記プレートと前記蓋部とが積層される方向に沿って延在する、
請求項１乃至請求項３のいずれか１項に記載の電子部品ユニット。
【請求項５】
前記対向面は、前記蓋部の内壁面であり、
前記ベース部は、前記突出部が嵌合可能な嵌合凹部を有する、
請求項４に記載の電子部品ユニット。
【請求項６】
前記突出部の、前記対向面から前記プレートの前記端面側への突出量は、前記露出端部と前記対向面との隙間より大きい、
請求項１乃至請求項５のいずれか１項に記載の電子部品ユニット。
【請求項７】
前記プレートは、対向する一対の前記端面にそれぞれ前記複数の露出端部を有し、
前記突出部は、当該対向する一対の前記端面にそれぞれ対向する前記対向面に少なくとも１つずつ設けられる、
請求項１乃至請求項６のいずれか１項に記載の電子部品ユニット。
【請求項８】
前記保持部材は、前記プレートが組み付けられるベース部と、前記ベース部に組み付けられた前記プレートを前記ベース部とは反対側から覆う蓋部とを有し、前記ベース部と前記蓋部とによって区画された内部に前記プレートが組み付けられ、
前記対向面は、前記蓋部の内壁面であり、
前記プレートは、前記保持部材の内部に組み付けられた状態で前記蓋部と対向する面に、前記突出部の先端を当該プレートの前記端面の外側に案内するガイド部を有する、
請求項１乃至請求項７のいずれか１項に記載の電子部品ユニット。
【請求項９】
前記ガイド部は、前記プレートの前記端面の外側に向かって傾斜するテーパ面を有する、
請求項８に記載の電子部品ユニット。
【請求項１０】
前記突出部は、突出方向の先端が前記プレートの前記端面と当接する、
請求項１乃至請求項９のいずれか１項に記載の電子部品ユニット。
【請求項１１】
電線と、
前記電線と電気的に接続される電子部品ユニットとを備え、
前記電子部品ユニットは、樹脂材の内部に金属製のバスバーが内蔵され電子部品が実装されたプレートと、
前記プレートが組み付けられる保持部材とを備え、
前記プレートは、端面に前記バスバーの一部が露出した複数の露出端部を有し、
前記保持部材は、前記プレートの前記端面と対向する対向面に形成され、前記プレートの前記端面と対向し、かつ、前記複数の露出端部の並び方向に対して、隣接する当該露出端部の間に位置し、前記対向面から前記プレートの前記端面側に向けて突出する突出部を有することを特徴とする、
ワイヤハーネス。
【発明の詳細な説明】
【技術分野】
【０００１】
本発明は、電子部品ユニット、及び、ワイヤハーネスに関する。
【背景技術】
【０００２】
車両等に搭載される従来のワイヤハーネスに設けられる電子部品ユニットとして、例えば、特許文献１には、複数のバスバーが絶縁板に取り付けられ、複数のバスバーに複数の電子部品が電気接続された電子部品基板と、該電子部品基板を収容したケースと、を有し、各バスバーに設けられた外部端子接続部が集められてコネクタ接続部が形成された電子部品モジュールが開示されている。この電子部品モジュールは、コネクタ接続部が複数の電子部品の間に配置されることで、ユニットの小型化を図っている。
【先行技術文献】
【特許文献】
【０００３】
【特許文献１】特開２０１３−１９８３４７号公報
【発明の概要】
【発明が解決しようとする課題】
【０００４】
ところで、上述の特許文献１に記載の電子部品ユニットは、例えば、電子部品基板の端面にバスバーの端部が露出する場合があるが、このような場合であっても、当該バスバーの露出端部によってケース等を傷つけることなく適正に電子部品基板（プレート）とケース（筐体）等の保持部材とを組み付けることができる構成が望まれている。
【０００５】
本発明は、上記の事情に鑑みてなされたものであって、プレートと保持部材との組み付け性を向上することができる電子部品ユニット、及び、ワイヤハーネスを提供することを目的とする。
【課題を解決するための手段】
【０００６】
上記目的を達成するために、本発明に係る電子部品ユニットは、樹脂材の内部に金属製のバスバーが内蔵され電子部品が実装されたプレートと、前記プレートが組み付けられる保持部材とを備え、前記プレートは、端面に前記バスバーの一部が露出した複数の露出端部を有し、前記保持部材は、前記プレートの前記端面と対向する対向面に形成され、前記プレートの前記端面と対向し、かつ、前記複数の露出端部の並び方向に対して、隣接する当該露出端部の間に位置し、前記対向面から前記プレートの前記端面側に向けて突出する突出部を有することを特徴とする。
【０００７】
また、上記電子部品ユニットでは、前記突出部は、前記対向面に形成され、前記プレートが前記保持部材に組み付けられた状態で、前記プレートの前記端面と対向し、かつ、前記複数の露出端部の並び方向に対して、隣接する当該露出端部の間に位置し、前記対向面から前記プレートの前記端面側に向けて突出する突出リブを含んで構成されるものとすることができる。
【０００８】
また、上記電子部品ユニットでは、前記突出部は、前記プレートが前記保持部材に組み付けられた状態で、前記プレートの前記端面と対向し、かつ、前記複数の露出端部の並び方向に対して、隣接する当該露出端部の間に位置し、前記対向面を含む壁体が前記プレートの前記端面側に向けて窪むことで形成される凸状壁部を含んで構成されるものとすることができる。
【０００９】
また、上記電子部品ユニットでは、前記保持部材は、前記プレートが組み付けられるベース部と、前記ベース部に組み付けられた前記プレートを前記ベース部とは反対側から覆う蓋部とを有し、前記ベース部と前記蓋部とによって区画された内部に前記プレートが組み付けられ、前記突出部は、前記ベース部と前記プレートと前記蓋部とが積層される方向に沿って延在するものとすることができる。
【００１０】
また、上記電子部品ユニットでは、前記対向面は、前記蓋部の内壁面であり、前記ベース部は、前記突出部が嵌合可能な嵌合凹部を有するものとすることができる。
【００１１】
また、上記電子部品ユニットでは、前記突出部の、前記対向面から前記プレートの前記端面側への突出量は、前記露出端部と前記対向面との隙間より大きいものとすることができる。
【００１２】
また、上記電子部品ユニットでは、前記プレートは、対向する一対の前記端面にそれぞれ前記複数の露出端部を有し、前記突出部は、当該対向する一対の前記端面にそれぞれ対向する前記対向面に少なくとも１つずつ設けられるものとすることができる。
【００１３】
また、上記電子部品ユニットでは、前記保持部材は、前記プレートが組み付けられるベース部と、前記ベース部に組み付けられた前記プレートを前記ベース部とは反対側から覆う蓋部とを有し、前記ベース部と前記蓋部とによって区画された内部に前記プレートが組み付けられ、前記対向面は、前記蓋部の内壁面であり、前記プレートは、前記保持部材の内部に組み付けられた状態で前記蓋部と対向する面に、前記突出部の先端を当該プレートの前記端面の外側に案内するガイド部を有するものとすることができる。
【００１４】
また、上記電子部品ユニットでは、前記ガイド部は、前記プレートの前記端面の外側に向かって傾斜するテーパ面を有するものとすることができる。
【００１５】
また、上記電子部品ユニットでは、前記突出部は、突出方向の先端が前記プレートの前記端面と当接するものとすることができる。
【００１６】
上記目的を達成するために、本発明に係るワイヤハーネスは、電線と、前記電線と電気的に接続される電子部品ユニットとを備え、前記電子部品ユニットは、樹脂材の内部に金属製のバスバーが内蔵され電子部品が実装されたプレートと、前記プレートが組み付けられる保持部材とを備え、前記プレートは、端面に前記バスバーの一部が露出した複数の露出端部を有し、前記保持部材は、前記プレートの前記端面と対向する対向面に形成され、前記プレートの前記端面と対向し、かつ、前記複数の露出端部の並び方向に対して、隣接する当該露出端部の間に位置し、前記対向面から前記プレートの前記端面側に向けて突出する突出部を有することを特徴とする。
【発明の効果】
【００１７】
本発明に係る電子部品ユニット、ワイヤハーネスは、プレートが組み付けられる保持部材に形成された突出部がバスバーの複数の露出端部の並び方向に対して、隣接する当該露出端部の間に位置する。これにより、電子部品ユニット、ワイヤハーネスは、例えば、プレートを保持部材に組み付ける際に、隣接する当該露出端部の間に突出部が介在することで、露出端部が保持部材に接触することを抑制することができる。この結果、この電子部品ユニット、ワイヤハーネスは、例えば、プレートを保持部材に組み付ける際に露出端部が当該保持部材を傷つけてしまうことを抑制することができるので、組み付け時の作業性を向上することができ、これにより、プレートと保持部材との組み付け性を向上することができる、という効果を奏する。
【図面の簡単な説明】
【００１８】
【図１】図１は、実施形態１に係る電子部品ユニットが適用される電気接続箱の概略構成を表す斜視図である。
【図２】図２は、実施形態１に係る電子部品ユニットの概略構成を表す分解斜視図である。
【図３】図３は、実施形態１に係る電子部品ユニットの概略構成を表す斜視図である。
【図４】図４は、実施形態１に係る電子部品ユニットのバスバーについて説明する斜視図である。
【図５】図５は、実施形態１に係る電子部品ユニットのインサートバスバープレートの概略構成を表す斜視図である。
【図６】図６は、実施形態１に係る電子部品ユニットのベースカバーのコネクタ嵌合部側の平面図である。
【図７】図７は、実施形態１に係る電子部品ユニットのベースカバーのコネクタ嵌合部を含む断面図である。
【図８】図８は、実施形態１に係る電子部品ユニットのトップカバーを含む模式的な断面図である。
【図９】図９は、実施形態１に係る電子部品ユニットのベースカバーに組み付けられたインサートバスバープレートの実装面とは反対側の面の平面図である。
【図１０】図１０は、実施形態１に係る電子部品ユニットのトップカバーの天井部内側の平面図である。
【図１１】図１１は、実施形態１に係る電子部品ユニットの突出リブを含む模式的な部分断面図である。
【図１２】図１２は、実施形態１に係る電子部品ユニットの露出端部近傍の模式的な部分断面図である。
【図１３】図１３は、実施形態１に係る電子部品ユニットの露出端部近傍の模式的な部分断面図である。
【図１４】図１４は、実施形態２に係る電子部品ユニットの概略構成を表す分解斜視図である。
【図１５】図１５は、実施形態２に係る電子部品ユニットの概略構成を表す斜視図である。
【図１６】図１６は、実施形態２に係る電子部品ユニットの凸状壁部を含む模式的な部分断面図である。
【発明を実施するための形態】
【００１９】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２０】
［実施形態１］
図１は、実施形態１に係る電子部品ユニットが適用される電気接続箱の概略構成を表す斜視図である。図２は、実施形態１に係る電子部品ユニットの概略構成を表す分解斜視図である。図３は、実施形態１に係る電子部品ユニットの概略構成を表す斜視図である。図４は、実施形態１に係る電子部品ユニットのバスバーについて説明する斜視図である。図５は、実施形態１に係る電子部品ユニットのインサートバスバープレートの概略構成を表す斜視図である。図６は、実施形態１に係る電子部品ユニットのベースカバーのコネクタ嵌合部側の平面図である。図７は、実施形態１に係る電子部品ユニットのベースカバーのコネクタ嵌合部を含む断面図である。図８は、実施形態１に係る電子部品ユニットのトップカバーを含む模式的な断面図である。図９は、実施形態１に係る電子部品ユニットのベースカバーに組み付けられたインサートバスバープレートの実装面とは反対側の面の平面図である。図１０は、実施形態１に係る電子部品ユニットのトップカバーの天井部内側の平面図である。図１１は、実施形態１に係る電子部品ユニットの突出リブを含む模式的な部分断面図である。図１２、図１３は、実施形態１に係る電子部品ユニットの露出端部近傍の模式的な部分断面図である。なお、図１は、電気接続箱のアッパカバーを二点鎖線で図示している。
【００２１】
本実施形態に係る電子部品ユニット１は、図１に示すように、自動車等の車両に搭載される電気接続箱１００に対して脱着可能に組み付けられる電子部品モジュールを構成するものである。ここで、電気接続箱１００は、ワイヤハーネス１５０に組み込まれ、電線等の接続処理用部品を構成するコネクタ、ヒューズ、リレー、分岐部、電子制御ユニット等の電装品を集約して内部に収容するものである。ワイヤハーネス１５０は、電線１５１と、当該電線１５１と電気的に接続される電気接続箱１００（電子部品ユニット１）とを備える。電気接続箱１００は、例えば、車両のエンジンルームや車体の下方部分に設置され、バッテリ等の電源と、車両内に搭載される各種電子機器との間に接続されている。電気接続箱１００は、電源から供給された電力を車両内の各種電子機器に分配する。なお、電気接続箱１００は、ジャンクションボックス、ヒューズボックス、リレーボックスなどとも呼ばれる場合があるが、本実施形態ではこれらを総称して電気接続箱と呼ぶ。
【００２２】
図１に例示した電気接続箱１００は、箱本体１０１の内部の収容空間部に、種々の電子部品１０２が収容される。箱本体１０１は、例えば、ボディ１０３、アッパカバー１０４、及び、ロアカバー１０５等を含んで構成される。箱本体１０１は、ボディ１０３、アッパカバー１０４、及び、ロアカバー１０５が分割された３層分割構造となっている。ボディ１０３、アッパカバー１０４、及び、ロアカバー１０５は、絶縁性の合成樹脂によって形成される。ボディ１０３は、電子部品１０２が組み付けられる収容空間部を形成する主たる部材である。ボディ１０３は、略ロの字型の筒状に形成され、この電気接続箱１００がエンジンルーム等に接続された状態で、鉛直方向上側、及び、鉛直方向下側に開口が位置する。アッパカバー１０４は、ボディ１０３の鉛直方向上側の開口を塞ぐ蓋状の部材である。ロアカバー１０５は、ボディ１０３の鉛直方向下側の開口を塞ぐ皿状（トレイ状）の部材である。箱本体１０１は、ボディ１０３の鉛直方向上側の開口とアッパカバー１０４の開口とが対向し、ボディ１０３の鉛直方向下側の開口とロアカバー１０５の開口とが対向するようにして、アッパカバー１０４がボディ１０３の鉛直方向上側に組み付けられ、ロアカバー１０５がボディ１０３の鉛直方向下側に組み付けられる。箱本体１０１は、ボディ１０３に対して、種々の形式の係止機構１０６を介して、アッパカバー１０４、ロアカバー１０５が係止される。なお、ボディ１０３とアッパカバー１０４とロアカバー１０５とが積層される方向は、典型的には、この電気接続箱１００がエンジンルーム等に接続された状態で、鉛直方向に沿っているが、当該電気接続箱１００の設置状況によっては当該積層される方向が鉛直方向に対して所定の角度を有して設置される場合もある。
【００２３】
そして、この箱本体１０１の内部の収容空間部に組み付けられる種々の電子部品１０２としては、上述したように、コネクタ、ヒューズ、リレー、分岐部、電子制御ユニット等と共に、本実施形態の電子部品ユニット１が含まれる。電気接続箱１００は、ボディ１０３に一体的に形成される種々の形状の区画壁１０７、ボディ１０３に着脱可能に組み付けられる種々の形状のブロック１０８等によって形成される多数のキャビティ内に、上記種々の電子部品１０２が組み付けられる。この場合、区画壁１０７、ブロック１０８等もボディ１０３等と同様に絶縁性の合成樹脂によって形成される。そして、電気接続箱１００は、種々の電子部品１０２が組み付けられたキャビティに対して、開口部１０９等を介して配索される電線１５１の端子等が鉛直方向下側から嵌合し電気的に接続される。
【００２４】
そして、本実施形態の電子部品ユニット１は、図２〜図７に示すように、プレートとしてのインサートバスバープレート２と、保持部材としての筐体３と、電線１５１との接続部としてのコネクタ４とを備え、筐体３の内部にインサートバスバープレート２が組み付けられる。
【００２５】
インサートバスバープレート２は、図２、図４、図５に示すように、樹脂材２３の内部に金属製のバスバー２４が内蔵され電子部品２２が実装された基板である。インサートバスバープレート２は、基板本体２１と、電子部品２２とを含んで構成される。
【００２６】
基板本体２１は、樹脂材２３の内部に導電性の複数のバスバー２４が内蔵されたものであり、言い換えれば、複数のバスバー２４を絶縁性の樹脂材２３で覆い相互に絶縁したものである。基板本体２１は、例えば、導電性の金属によって形成され金型内に配置されたバスバー２４の周りに絶縁性の樹脂を注入して金属と樹脂を一体化するインサート成形によって形成される。
【００２７】
図４に例示する成形前バスバー集合体２４ａは、複数のバスバー２４をキャリア２４ｂによって連結した、インサート成形前のバスバー２４の集合体を表している。当該成形前バスバー集合体２４ａは、導電性の金属によって形成されたものであり、例えば、プレス加工等によって全体として略板状に形成される。成形前バスバー集合体２４ａは、各バスバー２４の端子２４ｃが屈曲された状態でインサート成形用の金型に挿入される。基板本体２１は、金型に挿入された成形前バスバー集合体２４ａの周りに絶縁性の樹脂を注入して各バスバー２４と樹脂材２３とを一体成形することで形成される。そして、基板本体２１は、各バスバー２４と樹脂材２３とを一体成形した後にキャリア２４ｂが切断される。基板本体２１は、全体として長方形板状に形成される。
【００２８】
インサート成形された基板本体２１は、図５等に示すように、各バスバー２４の端子２４ｃが短辺方向（第１の幅方向）のほぼ中央部に、長辺方向（第１の幅方向と直交する第２の幅方向）に沿って並んで位置する。ここでは、端子２４ｃは、長辺方向に沿って２列で並んでいる。各端子２４ｃは、基板本体２１において電子部品２２が実装される面である実装面２５に対してほぼ垂直に立設される。つまり、各端子２４ｃは、短辺方向及び長辺方向に直交する方向に沿って実装面２５から突出し延在する。当該各端子２４ｃは、短辺方向に対して、後述の複数の電子部品２２の間に位置することとなる。言い換えれば、複数の端子２４ｃは、実装面２５の中央部に集約されている。また、基板本体２１は、各バスバー２４において、インサート成形後に切断されたキャリア２４ｂと連結されていた側の端部が、基板本体２１の端面において樹脂材２３から露出した露出端部２４ｄとなっている。つまり、このインサートバスバープレート２は、端面にバスバー２４の複数の露出端部２４ｄが露出している。露出端部２４ｄは、基板本体２１において対向する一対の長辺の端面にそれぞれ形成される。露出端部２４ｄは、各長辺の端面において長辺方向に並んで複数が露出している。
【００２９】
電子部品２２は、基板本体２１の実装面２５に実装されるものであり、ここでは、種々の機能を発揮する素子である。電子部品２２は、各端子が所定のバスバー２４と電気的に接続されると共に、実装面２５の裏面においてハンダ付等によって固定される。本実施形態の電子部品２２は、例えば、リレーである。つまり、本実施形態の電子部品ユニット１は、リレーユニットモジュールである。本実施形態のインサートバスバープレート２は、電子部品２２としてのリレーが、各端子２４ｃの短辺方向両側に、長辺方向に沿って並んで３つずつ、合計６つ設けられる。言い換えれば、インサートバスバープレート２は、電子部品２２が２列に配置され、複数の端子２４ｃが当該２列の電子部品２２の間に２列で配置されている。本実施形態のインサートバスバープレート２は、基本的には、基板本体２１の長辺方向に沿った中心線（つまり短辺方向の中心線）に対してほぼ線対称の形状であり、端子２４ｃ、電子部品２２の配置もほぼ線対称となっている。なお、このインサートバスバープレート２は、電子部品２２として６つのリレーの他、リレー抵抗等の素子も実装されている。
【００３０】
筐体３は、図２、図３、図６、図７に示すように、インサートバスバープレート２が組み付けられこれを保持するものである。本実施形態の筐体３は、ベース部としてのベースカバー３１と、蓋部としてのトップカバー３２と、接続部嵌合部としてのコネクタ嵌合部３３とを有し、ベースカバー３１とトップカバー３２とによって区画された内部にインサートバスバープレート２が組み付けられる。ベースカバー３１は、インサートバスバープレート２が組み付けられるものである。トップカバー３２は、ベースカバー３１に組み付けられたインサートバスバープレート２をベースカバー３１とは反対側から覆うものである。コネクタ嵌合部３３は、バスバー２４の端子２４ｃと電線との接続部であるコネクタ４が嵌合するものであり、ベースカバー３１に一体で形成される。ベースカバー３１、トップカバー３２、及び、コネクタ嵌合部３３は、絶縁性の合成樹脂によって形成される。
【００３１】
具体的には、ベースカバー３１は、図２に示すように、皿状（トレイ状）の部材である。ベースカバー３１は、略ロの字型に形成された壁体としての矩形枠状部３１ａと、当該矩形枠状部３１ａを閉塞する底部３１ｂとを含んで構成される。底部３１ｂは、インサートバスバープレート２の基板本体２１と同様の形状の長方形板状に形成される。矩形枠状部３１ａは、底部３１ｂの縁部を囲うように形成される。底部３１ｂは、矩形枠状部３１ａの中腹に当該矩形枠状部３１ａと一体で形成される（図７等参照）。矩形枠状部３１ａは、底部３１ｂの長辺方向に沿った一対の長辺側壁面３１ｃに、それぞれ切り欠き３１ｄが形成されると共に、トップカバー３２と係合するための係合爪３１ｅが形成される。また、矩形枠状部３１ａは、底部３１ｂの短辺方向に沿った一対の短辺側壁面３１ｆに、それぞれ電気接続箱１００の箱本体１０１と係合するための係合爪３１ｇが形成される。ベースカバー３１は、当該矩形枠状部３１ａの中腹が底部３１ｂよって閉塞した矩形筒状（一部が切り欠き３１ｄによって切り欠かれている）に形成される。ベースカバー３１は、矩形枠状部３１ａと底部３１ｂとによって囲われた空間部がインサートバスバープレート２の電子部品２２を収容する収容空間部３１ｈとして区画される。
【００３２】
また、ベースカバー３１は、底部３１ｂの中央部に中央壁状部３１ｉが形成される。中央壁状部３１ｉは、底部３１ｂが収容空間部３１ｈ側に突出するようにして形成される。中央壁状部３１ｉは、底部３１ｂの短辺方向のほぼ中央部に、長辺方向に沿って形成される。中央壁状部３１ｉは、長辺方向に沿って一方の短辺側壁面３１ｆから他方の短辺側壁面３１ｆまで延在している。中央壁状部３１ｉは、先端面に複数の端子嵌合孔３１ｊと、一対のネジ孔３１ｋが形成される。端子嵌合孔３１ｊは、インサートバスバープレート２がベースカバー３１に組み付けられた際に、上述の各バスバー２４の端子２４ｃが嵌合する孔であり、当該端子２４ｃに応じた数、位置で形成される。ここでは、端子嵌合孔３１ｊは、長辺方向に沿って２列で並んでいる。ネジ孔３１ｋは、インサートバスバープレート２がベースカバー３１に組み付けられた際に、当該インサートバスバープレート２をベースカバー３１に締結するためのネジ２６が螺合するための孔である。
【００３３】
さらに、ベースカバー３１は、図６、図７に示すように、中央壁状部３１ｉの裏面側、すなわち、収容空間部３１ｈとは反対側が中空状になっており、この中空部分が電線との接続部であるコネクタ４が嵌合するコネクタ嵌合部３３として形成される。上述の各バスバー２４の端子２４ｃは、インサートバスバープレート２がベースカバー３１に組み付けられた状態で、各端子嵌合孔３１ｊを介してコネクタ嵌合部３３内に露出する。ここでは、コネクタ嵌合部３３は、２箇所に形成されており、２つのコネクタ嵌合部３３にそれぞれ１つずつ、合計２つのコネクタ４が嵌合する。すなわち、本実施形態の電子部品ユニット１は、複数のバスバー２４の端子２４ｃに対して２つのコネクタ４が接続される。
【００３４】
トップカバー３２は、図２に示すように、蓋状の部材である。トップカバー３２は、略ロの字型に形成された壁体としての矩形枠状部３２ａと、当該矩形枠状部３２ａの一方の開口を閉塞する天井部３２ｂとを含んで構成される。天井部３２ｂは、インサートバスバープレート２の基板本体２１、ベースカバー３１の底部３１ｂと同様の形状の長方形板状に形成される。矩形枠状部３２ａは、天井部３２ｂの縁部に立設されるようにして形成される。矩形枠状部３２ａは、天井部３２ｂの長辺方向に沿った一対の長辺側壁面３２ｃに、ベースカバー３１と係合するための係合凹部３２ｄが形成される。また、矩形枠状部３２ａは、天井部３２ｂの短辺方向に沿った一対の短辺側壁面３２ｅに、それぞれ切り欠き３２ｆが形成される。トップカバー３２は、当該矩形枠状部３２ａ、及び、天井部３２ｂよって一端が開口し他端が閉塞した矩形筒状（一部が切り欠き３２ｆによって切り欠かれている）に形成される。
【００３５】
上記のように構成される電子部品ユニット１は、図２、図３に示すように、インサートバスバープレート２がベースカバー３１に組み付けられ、インサートバスバープレート２のベースカバー３１とは反対側をトップカバー３２によって覆った状態で、コネクタ４がコネクタ嵌合部３３に嵌合されることで１つのモジュールを構成する。
【００３６】
より詳細には、電子部品ユニット１は、ベースカバー３１の収容空間部３１ｈにインサートバスバープレート２の電子部品２２が収容されるような位置関係で、すなわち、電子部品２２が実装される実装面２５（図５等参照）がベースカバー３１の底部３１ｂと対向するような位置関係で、ベースカバー３１にインサートバスバープレート２が組み付けられる。電子部品ユニット１は、インサートバスバープレート２がベースカバー３１に組み付けられた状態では、ベースカバー３１の各端子嵌合孔３１ｊにインサートバスバープレート２の複数のバスバー２４の端子２４ｃが嵌合し、端子２４ｃが短辺方向及び長辺方向に直交する方向に沿ってコネクタ嵌合部３３内に露出する。電子部品ユニット１は、ネジ２６がインサートバスバープレート２のネジ孔２７に挿入されてベースカバー３１のネジ孔３１ｋに螺合することで、インサートバスバープレート２とベースカバー３１とが締結される。電子部品ユニット１は、インサートバスバープレート２がベースカバー３１に組み付けられた状態で、中央壁状部３１ｉの短辺方向両側に、電子部品２２が３つずつ位置することとなる。
【００３７】
電子部品ユニット１は、ベースカバー３１に組み付けられたインサートバスバープレート２をベースカバー３１とは反対側からトップカバー３２で覆うような位置関係で、ベースカバー３１等に対して当該トップカバー３２が装着される。電子部品ユニット１は、トップカバー３２が適正な位置に装着された状態で、ベースカバー３１側の各係合爪３１ｅにトップカバー３２側の各係合凹部３２ｄが係合することで、トップカバー３２がベースカバー３１に組み付けられる。電子部品ユニット１は、図３等に示すように、トップカバー３２がベースカバー３１に組み付けられた状態で、トップカバー３２の矩形枠状部３２ａがベースカバー３１の矩形枠状部３１ａの外側に重なるように位置すると共に、トップカバー３２の切り欠き３２ｆから係合爪３１ｇが露出する。そして、電子部品ユニット１は、コネクタ４が上記コネクタ嵌合部３３に短辺方向及び長辺方向に直交する方向に沿って嵌合されることで、複数のバスバー２４の端子２４ｃに当該コネクタ４が接続されると共に、各係合爪３１ｇを介して電気接続箱１００の箱本体１０１の内部の所定の箇所に組み付けられる。
【００３８】
なお、ベースカバー３１とインサートバスバープレート２とトップカバー３２とが積層される方向は、上述の電気接続箱１００と同様に、電気接続箱１００がエンジンルーム等に接続された状態で、鉛直方向に沿っているが、当該電気接続箱１００の設置状況によっては当該積層される方向が鉛直方向に対して所定の角度を有して設置される場合もある。      
【００３９】
ところで、本実施形態の電子部品ユニット１は、さらに、図８〜図１３に示すように、保持部材としての筐体３に突出部３４が形成されることで、インサートバスバープレート２と筐体３との組み付け性の向上を図っている。本実施形態の電子部品ユニット１は、突出部３４として、トップカバー３２に突出リブ３２ｇが形成される。
【００４０】
具体的には、筐体３は、上述のベースカバー３１とトップカバー３２とに加えて、図８、図１０等に示すように、突出部３４を有する。突出部３４は、筐体３の対向面３５（図１１、図１３等も参照）に形成される。対向面３５は、筐体３において、インサートバスバープレート２の露出端部２４ｄが形成された端面と対向する壁面である。突出部３４は、当該対向面３５に形成され、インサートバスバープレート２の端面と対向し、かつ、複数の露出端部２４ｄの並び方向に対して、隣接する当該露出端部２４ｄの間に位置し、対向面３５からインサートバスバープレート２の端面側に向けて突出する部分である。本実施形態の対向面３５は、トップカバー３２の内壁面、より詳細には、壁体としての長辺側壁面３２ｃの内壁面である。本実施形態の突出部３４は、当該長辺側壁面３２ｃの内壁面に形成される突出リブ３２ｇを含んで構成される。
【００４１】
突出リブ３２ｇは、対向面３５を構成するトップカバー３２の内壁面に形成される。ここで、対向面３５、すなわち、突出リブ３２ｇが形成されるトップカバー３２の内壁面は、トップカバー３２がベースカバー３１に組み付けられた状態で、上述の収容空間部３１ｈと対向する面である。突出リブ３２ｇは、インサートバスバープレート２が筐体３の内部に組み付けられた状態で、インサートバスバープレート２の端面、詳細には、露出端部２４ｄが形成される長辺方向に沿った端面と対向する位置に形成される。つまり、突出リブ３２ｇは、トップカバー３２の長辺側壁面３２ｃの内壁面に形成される。突出リブ３２ｇは、複数の露出端部２４ｄの並び方向に対して、隣接する当該露出端部２４ｄの間に位置し、長辺側壁面３２ｃの内壁面からインサートバスバープレート２の端面側に向けて突出する。ここで、複数の露出端部２４ｄの並び方向とは、典型的には、基板本体２１の長辺方向に相当する。突出リブ３２ｇ（突出部３４）は、ベースカバー３１とインサートバスバープレート２とトップカバー３２とが積層される方向に沿って延在する。ここでは、突出リブ３２ｇは、トップカバー３２の長辺側壁面３２ｃの内壁面に沿って、天井部３２ｂからベースカバー３１、インサートバスバープレート２に向かって長辺側壁面３２ｃの先端部まで延在するようにして形成される。
【００４２】
ここでは、上述したようにインサートバスバープレート２は、対向する一対の端面としての一対の長辺の端面にそれぞれ複数の露出端部２４ｄが露出する。これに対して、突出リブ３２ｇ（突出部３４）は、当該対向する一対の端面にそれぞれ対向するトップカバー３２の内壁面（対向面３５）に少なくとも１つずつ設けられる。つまり、突出リブ３２ｇは、トップカバー３２の一対の長辺側壁面３２ｃの内壁面に対して少なくとも１つずつ設けられる。突出リブ３２ｇは、隣接するすべての露出端部２４ｄの間に対応して複数形成されてもよいが、ここでは隣接する露出端部２４ｄ同士の間隔が相対的に狭くなっている部分に形成される。図１０の例では、突出リブ３２ｇは、各長辺側壁面３２ｃにそれぞれ８つずつ、合計１６本が設けられる。各突出リブ３２ｇは、絶縁性の合成樹脂によってトップカバー３２と一体で形成される。
【００４３】
また、図１１等に示すように、各突出リブ３２ｇ（突出部３４）の突出量Ｔ１は、露出端部２４ｄと対向面３５を構成するトップカバー３２の各長辺側壁面３２ｃの内壁面との隙間Ｄ１より大きい（Ｔ１＞Ｄ１）。ここで、突出リブ３２ｇの突出量Ｔ１は、トップカバー３２の各長辺側壁面３２ｃの内壁面からインサートバスバープレート２の端面側への突出量である。各突出リブ３２ｇの突出量Ｔ１は、トップカバー３２の長辺側壁面３２ｃの内壁面と、露出端部２４ｄが形成されたインサートバスバープレート２の端面との隙間（典型的には、公差を見込んだ最小の隙間）Ｄ２より小さく、かつ、露出端部２４ｄの突出量Ｔ２より大きい（Ｔ２＜Ｔ１＜Ｄ２）。ここで、露出端部２４ｄの突出量Ｔ２は、インサートバスバープレート２の端面からトップカバー３２の各長辺側壁面３２ｃの内壁面側への突出量である。
【００４４】
ここでさらに、本実施形態のインサートバスバープレート２は、図８、図９、図１２、図１３等に示すように、ガイド部２８を有する。ガイド部２８は、インサートバスバープレート２が筐体３の内部に組み付けられた状態でインサートバスバープレート２においてトップカバー３２と対向する面、すなわち、実装面２５とは反対側の面に形成される。ガイド部２８は、トップカバー３２が装着される際に、突出リブ３２ｇ（突出部３４）の先端（積層方向に沿った先端）と当接し、当該突出リブ３２ｇの先端を当該インサートバスバープレート２の端面の外側に案内するものである。ここでは、ガイド部２８は、インサートバスバープレート２の実装面２５とは反対側の面において長辺側の縁部に沿って複数設けられる。ガイド部２８は、突出リブ３２ｇの数に応じて各辺にそれぞれ８つずつ、合計１６個が設けられる。各ガイド部２８は、対応する突出リブ３２ｇと当接可能な位置に設けられる。各ガイド部２８は、インサートバスバープレート２の実装面２５とは反対側の面から突出するように形成されると共に、突出リブ３２ｇの先端をガイドするためのガイド面として、インサートバスバープレート２の端面の外側に向かって傾斜するテーパ面２８ａが形成される。これにより、各ガイド部２８は、先細りの形状になっている。各ガイド部２８は、インサートバスバープレート２を構成する樹脂材２３によって一体成形される。つまり、各ガイド部２８は、インサートバスバープレート２の基板本体２１がインサート成形される際に一体となって形成される。また、本実施形態の電子部品ユニット１は、各突出リブ３２ｇの先端側にもテーパ面３２ｈが形成される。突出リブ３２ｇのテーパ面３２ｈは、ガイド部２８のテーパ面２８ａと対向して接触する。テーパ面３２ｈは、インサートバスバープレート２の端面の外側に向かって傾斜する。これにより、各突出リブ３２ｇは、先細りの形状になっている。
【００４５】
以上で説明した電子部品ユニット１によれば、樹脂材２３の内部に金属製のバスバー２４が内蔵され電子部品２２が実装されたインサートバスバープレート２と、インサートバスバープレート２が組み付けられる筐体３とを備える。インサートバスバープレート２は、端面にバスバー２４の一部が露出した複数の露出端部２４ｄを有する。筐体３は、インサートバスバープレート２の端面と対向する対向面３５に形成され、インサートバスバープレート２の端面と対向し、かつ、複数の露出端部２４ｄの並び方向に対して、隣接する当該露出端部２４ｄの間に位置し、対向面３５からインサートバスバープレート２の端面側に向けて突出する突出部３４を有する。また、以上で説明したワイヤハーネス１５０によれば、電線１５１と、電線１５１と電気的に接続される上記電子部品ユニット１とを備える。
【００４６】
したがって、電子部品ユニット１、ワイヤハーネス１５０は、図１１等に示すように、インサートバスバープレート２が組み付けられる筐体３に形成された突出部３４がバスバー２４の複数の露出端部２４ｄの並び方向に対して、隣接する当該露出端部２４ｄの間に位置する。これにより、電子部品ユニット１は、例えば、インサートバスバープレート２を筐体３に組み付ける際に、隣接する当該露出端部２４ｄの間に突出部３４が介在することで、露出端部２４ｄが筐体３に接触することを抑制することができる。すなわち、電子部品ユニット１は、インサートバスバープレート２を筐体３に組み付ける際、露出端部２４ｄが筐体３の対向面３５に接触しそうになった場合に、当該露出端部２４ｄが対向面３５に接触する前に、突出部３４がインサートバスバープレート２の端面に当接する。これにより、電子部品ユニット１は、突出部３４がインサートバスバープレート２の端面と筐体３の対向面３５との間に介在することで、露出端部２４ｄが筐体３の対向面３５に接触することを抑制することができ、すなわち、筐体３の対向面３５と露出端部２４ｄとが干渉することを抑制することができる。この結果、この電子部品ユニット１は、例えば、インサートバスバープレート２を筐体３に組み付ける際に露出端部２４ｄが当該筐体３を傷つけてしまうことを抑制することができるので、組み付け時の作業性を向上することができ、これにより、インサートバスバープレート２と筐体３との組み付け性を向上することができる。また、電子部品ユニット１は、筐体３の対向面３５に形成された突出部３４によって当該筐体３の長辺側壁面３２ｃの剛性も向上することができるので、長辺側壁面３２ｃの倒れ（内倒れ）、変形等による嵌合性の悪化も抑制することができる。
【００４７】
より詳細には、以上で説明した電子部品ユニット１によれば、筐体３は、インサートバスバープレート２が組み付けられるベースカバー３１と、ベースカバー３１に組み付けられたインサートバスバープレート２をベースカバー３１とは反対側から覆うトップカバー３２を有し、ベースカバー３１とトップカバー３２とによって区画された内部にインサートバスバープレート２が組み付けられる。また、突出部３４が設けられる対向面３５は、トップカバー３２の内壁面である。そして、突出部３４は、複数の突出リブ３２ｇを含んで構成される。突出リブ３２ｇは、対向面３５を構成するトップカバー３２の内壁面に形成され、インサートバスバープレート２が筐体３の内部に組み付けられた状態で、インサートバスバープレート２の端面と対向し、かつ、複数の露出端部２４ｄの並び方向に対して、隣接する当該露出端部２４ｄの間に位置し、対向面３５を構成するトップカバー３２の内壁面からインサートバスバープレート２の端面側に向けて突出する。これにより、電子部品ユニット１は、例えば、筐体３を構成するベースカバー３１に組み付けられたインサートバスバープレート２を覆うように当該トップカバー３２を装着する際に、隣接する当該露出端部２４ｄの間に突出部３４を構成する突出リブ３２ｇが介在することで、露出端部２４ｄがトップカバー３２の内壁面に接触することを抑制することができる。
【００４８】
さらに、電子部品ユニット１は、図１１等に示すように、インサートバスバープレート２が筐体３の内部に組み付けられた状態で、各突出リブ３２ｇが複数の露出端部２４ｄの並び方向に対して、隣接する当該露出端部２４ｄの間に位置することから、当該各突出リブ３２ｇによって、当該隣接する露出端部２４ｄの間を絶縁することができる。この場合、電子部品ユニット１は、基本的には、当該露出端部２４ｄの間が空気絶縁になっており基本的な絶縁性を確保することはできているが、さらに樹脂製の上記各突出リブ３２ｇが加わることで、露出端部２４ｄの間の絶縁性をさらに向上することができる。またこれにより、電子部品ユニット１は、例えば、トップカバー３２の内壁面側に水が浸入したり結露が付着したりしたような場合でも露出端部２４ｄの間の絶縁性を維持しやすい構成とすることができる。
【００４９】
また、以上で説明した電子部品ユニット１によれば、突出リブ３２ｇ（突出部３４）は、ベースカバー３１とインサートバスバープレート２とトップカバー３２とが積層される方向に沿って延在する。したがって、電子部品ユニット１は、ベースカバー３１に組み付けられたインサートバスバープレート２を覆うようにトップカバー３２を装着する過程の全体にわたって、露出端部２４ｄがトップカバー３２の内壁面に接触することを抑制することができるので、より確実に組み付け性を向上することができる。
【００５０】
また、以上で説明した電子部品ユニット１によれば、突出リブ３２ｇ（突出部３４）の、トップカバー３２の内壁面（対向面３５）からインサートバスバープレート２の端面側への突出量Ｔ１は、露出端部２４ｄとトップカバー３２の内壁面（対向面３５）との隙間Ｄ１より大きい。したがって、この電子部品ユニット１は、図１１等に示すように、ベースカバー３１とインサートバスバープレート２とトップカバー３２が組み付けられた状態で、露出端部２４ｄの突出方向（ここでは、短辺方向）に対して、突出リブ３２ｇと露出端部２４ｄとがオーバーラップすることから、露出端部２４ｄがトップカバー３２の内壁面に接触することを確実に抑制することができると共に、隣接する露出端部２４ｄの間を確実に絶縁することができる。
【００５１】
また、以上で説明した電子部品ユニット１によれば、インサートバスバープレート２は、対向する一対の端面、ここでは、一対の長辺側の端面にそれぞれ複数の露出端部２４ｄを有し、突出リブ３２ｇ（突出部３４）は、当該対向する一対の端面にそれぞれ対向するトップカバー３２の内壁面（対向面３５）に少なくとも１つずつ設けられる。したがって、電子部品ユニット１は、例えば、作業員等がトップカバー３２を把持しベースカバー３１等に装着する際に、当該トップカバー３２が露出端部２４ｄの突出方向（ここでは、短辺方向）に対して撓んだ場合であっても、両端面側で、露出端部２４ｄがトップカバー３２の内壁面に接触することを確実に抑制することができる。
【００５２】
また、以上で説明した電子部品ユニット１によれば、インサートバスバープレート２は、筐体３の内部に組み付けられた状態でトップカバー３２と対向する面に、突出リブ３２ｇ（突出部３４）の先端を当該インサートバスバープレート２の端面の外側に案内するガイド部２８を有する。したがって、電子部品ユニット１は、図１２、図１３等に示すように、ベースカバー３１に組み付けられたインサートバスバープレート２を覆うようにトップカバー３２を装着する際に、まず、突出リブ３２ｇの先端がガイド部２８に当接し、当該ガイド部２８によって当該突出リブ３２ｇの先端をインサートバスバープレート２の端面の外側に案内することができる。これにより、電子部品ユニット１は、例えば、当該突出リブ３２ｇの先端がインサートバスバープレート２の基板本体２１上に乗り上げてしまうことを抑制することができる。よって、電子部品ユニット１は、トップカバー３２、ひいては、突出リブ３２ｇの位置合わせを適正に行うことができ、トップカバー３２の内壁面と露出端部２４ｄとが干渉することを確実に抑制することができるので、嵌合性を向上することができる。この結果、電子部品ユニット１は、インサートバスバープレート２と筐体３との組み付け時の作業性をさらに向上することができ、さらに組み付け性を向上することができる。
【００５３】
また、以上で説明した電子部品ユニット１によれば、ガイド部２８は、インサートバスバープレート２の端面の外側に向かって傾斜するテーパ面２８ａを有する。したがって、電子部品ユニット１は、突出リブ３２ｇの先端をインサートバスバープレート２の端面の外側に案内する構成を簡単に実現することができる。
【００５４】
［実施形態２］
図１４は、実施形態２に係る電子部品ユニットの概略構成を表す分解斜視図である。図１５は、実施形態２に係る電子部品ユニットの概略構成を表す斜視図である。図１６は、実施形態２に係る電子部品ユニットの凸状壁部を含む模式的な部分断面図である。実施形態２に係る電子部品ユニット、ワイヤハーネスは、突出部の構成が実施形態１とは異なる。その他、上述した実施形態と共通する構成、作用、効果については、重複した説明はできるだけ省略する。
【００５５】
図１４、図１５、図１６に示す本実施形態に係る電子部品ユニット２０１は、プレートとしてのインサートバスバープレート２と、保持部材としての筐体２０３と、電線との接続部としてのコネクタ４とを備え、筐体２０３の内部にインサートバスバープレート２が組み付けられる。筐体２０３は、ベース部としてのベースカバー２３１と、蓋部としてのトップカバー２３２と、接続部嵌合部としてのコネクタ嵌合部３３（図６等参照）とを有し、ベースカバー２３１とトップカバー２３２とによって区画された内部にインサートバスバープレート２が組み付けられる。そして、電子部品ユニット１は、筐体２０３に突出部２３４が形成されることで、インサートバスバープレート２と筐体２０３との組み付け性の向上を図っている。なお、本実施形態の筐体２０３は、上述した筐体３と比較して、突出部２３４に係る部分以外にも若干形状が異なる部分があるが概略同様の構成となっている。
【００５６】
本実施形態の突出部２３４は、筐体２０３の対向面３５（図１６参照）に形成される。突出部２３４は、当該対向面３５に形成され、インサートバスバープレート２の端面と対向し、かつ、複数の露出端部２４ｄの並び方向に対して、隣接する当該露出端部２４ｄの間に位置し、対向面３５からインサートバスバープレート２の端面側に向けて突出する部分である。本実施形態の対向面３５は、トップカバー２３２の内壁面、より詳細には、壁体としての長辺側壁面３２ｃの内壁面であり、本実施形態の突出部２３４は、当該長辺側壁面３２ｃが窪むことで形成される凸状壁部２３７を含んで構成される。
【００５７】
凸状壁部２３７は、インサートバスバープレート２が筐体２０３の内部に組み付けられた状態で、インサートバスバープレート２の端面と対向し、かつ、複数の露出端部２４ｄの並び方向に対して、隣接する当該露出端部２４ｄの間に位置し、対向面３５を含む壁体である長辺側壁面３２ｃがインサートバスバープレート２の端面側に向けて窪むことで形成される。凸状壁部２３７は、インサートバスバープレート２が筐体２０３の内部に組み付けられた状態で、インサートバスバープレート２の端面、より詳細には、露出端部２４ｄが形成される長辺方向に沿った端面と対向する位置に形成される。つまり、凸状壁部２３７は、トップカバー２３２の長辺側壁面３２ｃの所定の部位がインサートバスバープレート２の端面側に向けて窪むようにして対向面３５側からインサートバスバープレート２の端面側に向けて突出して形成される。さらに言えば、トップカバー２３２は、壁体を構成する長辺側壁面３２ｃの凸状壁部２３７の部位において外側（収容空間部３１ｈとは反対側）の表面が凹部状、内側（収容空間部３１ｈ側）の表面が凸部状となるように形成される。凸状壁部２３７（突出部２３４）は、ベースカバー２３１とインサートバスバープレート２とトップカバー２３２とが積層される方向に沿って延在する。ここでは、凸状壁部２３７は、トップカバー２３２の矩形枠状部３２ａの長辺側壁面３２ｃに、天井部３２ｂからベースカバー２３１、インサートバスバープレート２に向かって長辺側壁面３２ｃの先端部まで延在するようにして形成される。
【００５８】
ここでは、上述したようにインサートバスバープレート２は、対向する一対の端面としての一対の長辺の端面にそれぞれ複数の露出端部２４ｄが露出する。これに対して、凸状壁部２３７（突出部２３４）は、当該対向する一対の端面にそれぞれ対向する対向面３５に少なくとも１つずつ設けられる。つまり、凸状壁部２３７は、トップカバー２３２の一対の長辺側壁面３２ｃに対して少なくとも１つずつ設けられる。凸状壁部２３７は、隣接するすべての露出端部２４ｄの間に対応して複数形成されてもよいが、ここでは、隣接する露出端部２４ｄ同士の間隔が相対的に広くなっている長手方向中央部分に１つずつ、合計２つが形成される。
【００５９】
また、図１６等に示すように、各凸状壁部２３７（突出部２３４）の突出量Ｔ１１は、露出端部２４ｄと各長辺側壁面３２ｃの内壁面（対向面３５）との隙間Ｄ１より大きい（Ｔ１１＞Ｄ１）。ここで、凸状壁部２３７の突出量Ｔ１１は、対向面３５を構成する各長辺側壁面３２ｃの内壁面からインサートバスバープレート２の端面側への突出量である。ここでは、各凸状壁部２３７の突出量Ｔ１１は、トップカバー２３２の長辺側壁面３２ｃの内壁面と、露出端部２４ｄが形成されたインサートバスバープレート２の端面との隙間（典型的には、公差を見込んだ最小の隙間）Ｄ２とほぼ同等とされる。好適には、各凸状壁部２３７（突出部２３４）は、突出方向（ここでは短辺方向）の先端がインサートバスバープレート２の端面（露出端部２４ｄが形成されている端面）と当接するように構成される。
【００６０】
ここでさらに、本実施形態のベースカバー２３１は、嵌合凹部２３８を有している。嵌合凹部２３８は、突出部２３４を構成する凸状壁部２３７が嵌合可能な窪みである。嵌合凹部２３８は、トップカバー２３２がベースカバー２３１に組み付けられた状態で、凸状壁部２３７と対向する位置、形状に形成される。嵌合凹部２３８は、トップカバー２３２がベースカバー２３１に組み付けられた状態で、壁体としての長辺側壁面３１ｃにおいて、凸状壁部２３７と対向する部分がインサートバスバープレート２側に向けて窪むことで形成される。つまりここでは、嵌合凹部２３８は、ベースカバー２３１の長辺側壁面３１ｃの所定の部位がインサートバスバープレート２側に向けて窪むようにしてインサートバスバープレート２側に向けて突出して形成される。さらに言えば、トップカバー２３２は、壁体を構成する長辺側壁面３１ｃの嵌合凹部２３８の部位において、外側（収容空間部３１ｈとは反対側）の表面が凹部状、内側（収容空間部３１ｈ側）の表面が凸部状となるように形成される。嵌合凹部２３８は、ベースカバー２３１とインサートバスバープレート２とトップカバー２３２とが積層される方向に沿って延在する。ここでは、嵌合凹部２３８は、ベースカバー２３１の矩形枠状部３１ａの長辺側壁面３１ｃに、底部３１ｂからトップカバー２３２、インサートバスバープレート２に向かって長辺側壁面３１ｃの先端部まで延在するようにして形成される。嵌合凹部２３８は、ベースカバー２３１の一対の長辺側壁面３１ｃに対して１つずつ設けられる。ここでは、嵌合凹部２３８は、ベースカバー２３１の一対の長辺側壁面３１ｃの長手方向中央部分に１つずつ、合計２つが形成される。
【００６１】
以上で説明した電子部品ユニット２０１、ワイヤハーネス１５０は、インサートバスバープレート２が組み付けられる筐体２０３に形成された突出部２３４がバスバー２４の複数の露出端部２４ｄの並び方向に対して、隣接する当該露出端部２４ｄの間に位置する。これにより、電子部品ユニット２０１は、例えば、インサートバスバープレート２を筐体２０３に組み付ける際に、隣接する当該露出端部２４ｄの間に突出部２３４が介在することで、露出端部２４ｄが筐体２０３に接触することを抑制することができる。この結果、この電子部品ユニット２０１は、例えば、インサートバスバープレート２を筐体２０３に組み付ける際に露出端部２４ｄが当該筐体２０３を傷つけてしまうことを抑制することができるので、組み付け時の作業性を向上することができ、これにより、インサートバスバープレート２と筐体２０３との組み付け性を向上することができる。また、電子部品ユニット２０１は、筐体２０３の対向面３５に形成された突出部２３４によって当該筐体２０３の長辺側壁面３２ｃの剛性も向上することができるので、長辺側壁面３２ｃの倒れ（内倒れ）、変形等による嵌合性の悪化も抑制することができる。
【００６２】
さらに、以上で説明した電子部品ユニット２０１によれば、突出部２３４は、インサートバスバープレート２が筐体２０３に組み付けられた状態で、インサートバスバープレート２の端面と対向し、かつ、複数の露出端部２４ｄの並び方向に対して、隣接する当該露出端部２４ｄの間に位置し、対向面３５を含む壁体としての長辺側壁面３２ｃがインサートバスバープレート２の端面側に向けて窪むことで形成される凸状壁部２３７を含んで構成される。これにより、電子部品ユニット２０１は、例えば、筐体２０３を構成するベースカバー２３１に組み付けられたインサートバスバープレート２を覆うように当該トップカバー２３２を装着する際に、隣接する当該露出端部２４ｄの間に突出部２３４を構成する凸状壁部２３７が介在することで、露出端部２４ｄがトップカバー２３２の内壁面に接触することを抑制することができる。また、本実施形態の突出部２３４を構成する凸状壁部２３７は、上述の突出リブ３２ｇと比較して、対向面３５を含む壁体としての長辺側壁面３２ｃの肉厚をほぼ均等に維持した上で対向面３５からインサートバスバープレート２の端面側に向けて突出する突出部２３４を構成することができる。この結果、電子部品ユニット２０１は、突出部２３４（凸状壁部２３７）が形成される筐体２０３のトップカバー２３２において、ヒケ（成形収縮によって生じるへこみ、窪み）や反りが発生することを抑制することができる。
【００６３】
さらに、以上で説明した電子部品ユニット２０１によれば、ベースカバー２３１は、突出部２３４を構成する凸状壁部２３７が嵌合可能な嵌合凹部２３８を有する。ここでは、電子部品ユニット２０１は、長辺側壁面３１ｃを含む矩形枠状部３１ａが内側、長辺側壁面３２ｃを含む矩形枠状部３２ａが外側に位置して重なった状態で、突出部２３４を構成する凸状壁部２３７が嵌合凹部２３８に嵌合する。したがって、電子部品ユニット２０１は、突出部２３４を構成する凸状壁部２３７と共にトップカバー２３２をベースカバー２３１に位置決めしやすくすることができる。また、電子部品ユニット２０１は、嵌合凹部２３８によって当該筐体２０３の長辺側壁面３１ｃの剛性も向上することができるので、長辺側壁面３１ｃの倒れ（内倒れ）、変形等による嵌合性の悪化を、さらに抑制することができる。
【００６４】
さらに、以上で説明した電子部品ユニット２０１によれば、突出部２３４を構成する凸状壁部２３７は、突出方向の先端が、隣接する露出端部２４ｄの間において、インサートバスバープレート２の端面と当接する。したがって、電子部品ユニット２０１は、突出部２３４を構成する凸状壁部２３７を、隣接する露出端部２４ｄの間に誘い込みやすくすることができる。これにより、電子部品ユニット２０１は、インサートバスバープレート２と筐体２０３との組み付け性をさらに向上することができると共に、長辺側壁面３２ｃの倒れ（内倒れ）、変形等による嵌合性の悪化を、さらに抑制することができる。
【００６５】
なお、上述した本発明の実施形態に係る電子部品ユニット、及び、ワイヤハーネスは、上述した実施形態に限定されず、特許請求の範囲に記載された範囲で種々の変更が可能である。
【００６６】
以上で説明した電子部品ユニット１、２０１は、電気接続箱１００に対して脱着可能に組み付けられる電子部品モジュールを構成するものとして説明したがこれに限らない。本実施形態の電子部品ユニット１、２０１の構成は、例えば、電気接続箱１００自体に適用されてもよい。
【００６７】
以上で説明した電子部品２２は、リレーであるものとして説明したがこれに限らず、ヒューズ等であってもよい。
【００６８】
以上の説明では、突出リブ３２ｇは、隣接する露出端部２４ｄ同士の間隔が狭い部分に合計１６本が設けられるものとして説明したがこれに限らない。突出リブ３２ｇは、好ましくは露出端部２４ｄが形成された一対の端面にそれぞれ対向するトップカバー３２の内壁面に少なくとも１つずつ設けられればよく、この場合、組み付け作業の際に撓みやすい傾向にある露出端部２４ｄの並び方向の中央部に設けられることがより好ましい。
【００６９】
以上の説明では、電子部品ユニット１は、各突出リブ３２ｇの先端側にもテーパ面３２ｈが形成されるものとして説明したがこれに限らない。
【００７０】
以上の説明では、保持部材は、筐体３、２０３であり、ベースカバー３１、２３１（ベース部）、トップカバー３２、２３２（蓋部）を有し、内部にインサートバスバープレート２が組み付けられるものとして説明したがこれに限らない。保持部材は、トップカバー３２、２３２にインサートバスバープレート２が組み付けられるものであってもよいし、そもそもベースカバー３１、２３１とトップカバー３２、２３２とが別体の構成でなくてもよい。例えば、保持部材は、電気接続箱１００を構成する箱本体１０１の一部によって構成されるものであってもよく、このように構成される保持部材に突出部３４、２３４が設けられていればよい。
【００７１】
また、電子部品ユニット、ワイヤハーネスは、実施形態１で説明したガイド部２８と同様の構成を実施形態２に適用してもよいし、実施形態２で説明した嵌合凹部２３８と同様の構成を実施形態１に適用してもよい。
【符号の説明】
【００７２】
１、２０１    電子部品ユニット
２    インサートバスバープレート（プレート）
３、２０３    筐体（保持部材）
２２    電子部品
２３    樹脂材
２４    バスバー
２４ｄ    露出端部
２８    ガイド部
２８ａ    テーパ面
３１、２３１    ベースカバー（ベース部）
３２、２３２    トップカバー（蓋部）
３２ｃ    長辺側壁面（壁体）
３２ｇ    突出リブ
３２ｈ    テーパ面
３４、２３４    突出部
３５    対向面
１００    電気接続箱
１５０    ワイヤハーネス
１５１    電線
２３７    凸状壁部
２３８    嵌合凹部
【図１】
2015216829.tif 000003
【図２】
2015216829.tif 000004
【図３】
2015216829.tif 000005
【図４】
2015216829.tif 000006
【図５】
2015216829.tif 000007
【図６】
2015216829.tif 000008
【図７】
2015216829.tif 000009
【図８】
2015216829.tif 000010
【図９】
2015216829.tif 000011
【図１０】
2015216829.tif 000012
【図１１】
2015216829.tif 000013
【図１２】
2015216829.tif 000014
【図１３】
2015216829.tif 000015
【図１４】
2015216829.tif 000016
【図１５】
2015216829.tif 000017
【図１６】
2015216829.tif 000018